(57)【要約】【課題】プロジェクタにおいて、製造コストを低減させると共に、ユーザに対して装置内部に埃が溜まっていることを報知する。【解決手段】プロジェクタは、光を出射するランプと、光の強さを測定可能なフォトダイオードと、各種警告を報知することができるＬＥＤと、制御部と、メモリとを備える。メモリには、ランプの光の強さの基準値が記憶されている。制御部は、フォトダイオードを用いてランプから出射される光の強さを測定し（Ｓ１）、測定した光の強さが、メモリに記憶されている光の強さの基準値以下か否かを判断する（Ｓ２）。この判断の結果、基準値以下の場合（Ｓ３でＹＥＳ）、制御部は、ＬＥＤを点灯させ（Ｓ４）、筐体内部に埃が溜まっていることをユーザに報知すると共に、ランプを消灯させて（Ｓ５）、プロジェクタを待機状態にする（Ｓ６）。そのため、従来のプロジェクタと異なり、光センサを２つ備える必要がない。【選択図】図５
2008241923.tif 000002
【特許請求の範囲】
【請求項１】
パーソナルコンピュータやビデオカメラ等から出力された画像データが入力される信号入力手段と、
画像投影用の光を出射する光源と、
前記光源から出射された光を用いて、前記信号入力手段から入力された画像データに基づく画像を形成する画像形成手段と、
前記画像形成手段により形成された画像を拡大投射するためのレンズと、
ユーザによって操作され、装置に指示を行うための操作手段と、
前記光源を冷却するためのファンと、
装置各部を制御する制御手段と、
前記制御手段を動作させるためのプログラムを記憶するための記憶手段とを備えるプロジェクタにおいて、
前記光源から出射される光の強さを測定可能な光センサと、
ユーザに対して、装置内部に埃が溜まっていることを報知する報知手段と、
伸縮自在であり、伸長時に、一端が装置外部に位置し、他端が装置内部に位置するノズルとをさらに備え、
前記制御手段は、前記光センサを用いて、前記光源から出射される光の強さを検出し、検出した光の強さが基準値以下であるとき、前記報知手段を用いて装置内部に埃が溜まっていることをユーザに報知すると共に、前記光源を消灯させることを特徴とするプロジェクタ。
【請求項２】
画像投影用の光を出射する光源と、
前記光源から出射された光を用いて、コンピュータ等から入力された画像データに基づく画像を形成する画像形成手段と、
前記光源を冷却するためのファンと、
装置各部を制御する制御手段とを備えるプロジェクタにおいて、
前記光源から出射される光の強さを測定可能な光センサと、
ユーザに対して、装置内部に埃が溜まっていることを報知する報知手段とをさらに備え、
前記制御手段は、前記光センサを用いて、前記光源から出射される光の強さを検出し、検出した光の強さが基準値以下であるとき、前記報知手段を用いて装置内部に埃が溜まっていることをユーザに報知することを特徴とするプロジェクタ。
【請求項３】
前記制御手段は、前記光センサを用いて、前記光源から出射される光の強さを検出し、検出した光の強さが基準値以下であるとき、前記報知手段を用いて装置内部に埃が溜まっていることをユーザに報知すると共に、前記光源を消灯させることを特徴とする請求項２に記載のプロジェクタ。
【発明の詳細な説明】
【技術分野】
【０００１】
本発明は、プロジェクタに関し、特に装置内部の埃を排出する技術に関する。
【背景技術】
【０００２】
従来からファンを回転させることにより装置内部に外気を流入させて光源等を冷却させるプロジェクタが知られている。この種のプロジェクタは、長期間使用すると埃が装置内部に溜まるので故障することがある。そのため、定期的に装置内部の埃を取除くためのメンテナンス作業が必要である。
【０００３】
特許文献１には、防塵フィルタを挟んだ内側と外側のそれぞれに光センサを設け、防塵フィルタを挟んだ内側と外側のそれぞれの光の強さを測定することにより、内側の光の強さと外側の光の強さとの差が一定基準以下になった場合、装置内部に埃が溜まっていると判断し、ユーザに対して装置内部に溜まった埃を取除くように警告することができるプロジェクタが開示されている。しかし、このプロジェクタは、光センサを２つ備える必要があるため、製造コストが高くなるという問題がある。
【０００４】
ところで、特許文献２及び特許文献３には、光源等を冷却するために装置内部に設けられたファンを逆回転させることにより、装置内部に溜まった埃を装置外部に排出することができるプロジェクタが開示されている。しかし、これらのプロジェクタでは、装置内部に溜まった埃を取除くようにユーザに報知することができない。
【特許文献１】特開２００４−６３９９３号公報
【特許文献２】特開平８−２０１９１７号公報
【特許文献３】特開２００４−６４０１０号公報
【発明の開示】
【発明が解決しようとする課題】
【０００５】
本発明は、上記問題を解決するためになされたものであり、製造コストを低減させることができると共に、ユーザに対して装置内部に埃が溜まっていることを報知することができるプロジェクタを提供することを目的とする。
【課題を解決するための手段】
【０００６】
上記目的を達成するために請求項１の発明は、パーソナルコンピュータやビデオカメラ等から出力された画像データが入力される信号入力手段と、画像投影用の光を出射する光源と、前記光源から出射された光を用いて、前記信号入力手段から入力された画像データに基づく画像を形成する画像形成手段と、前記画像形成手段により形成された画像を拡大投射するためのレンズと、ユーザによって操作され、装置に指示を行うための操作手段と、前記光源を冷却するためのファンと、装置各部を制御する制御手段と、前記制御手段を動作させるためのプログラムを記憶するための記憶手段とを備えるプロジェクタにおいて、前記光源から出射される光の強さを測定可能な光センサと、ユーザに対して、装置内部に埃が溜まっていることを報知する報知手段と、伸縮自在であり、伸長時に、一端が装置外部に位置し、他端が装置内部に位置するノズルとをさらに備え、前記制御手段は、前記光センサを用いて、前記光源から出射される光の強さを検出し、検出した光の強さが基準値以下であるとき、前記報知手段を用いて装置内部に埃が溜まっていることをユーザに報知すると共に、前記光源を消灯させるものである。
【０００７】
請求項２の発明は、画像投影用の光を出射する光源と、前記光源から出射された光を用いて、コンピュータ等から入力された画像データに基づく画像を形成する画像形成手段と、前記光源を冷却するためのファンと、装置各部を制御する制御手段とを備えるプロジェクタにおいて、前記光源から出射される光の強さを測定可能な光センサと、ユーザに対して、装置内部に埃が溜まっていることを報知する報知手段とをさらに備え、前記制御手段は、前記光センサを用いて、前記光源から出射される光の強さを検出し、検出した光の強さが基準値以下であるとき、前記報知手段を用いて装置内部に埃が溜まっていることをユーザに報知するものである。
【０００８】
請求項３の発明は、請求項２に記載のプロジェクタにおいて、前記光センサを用いて、前記光源から出射される光の強さを検出し、検出した光の強さが基準値以下であるとき、前記報知手段を用いて装置内部に埃が溜まっていることをユーザに報知すると共に、前記光源を消灯させるものである。
【発明の効果】
【０００９】
請求項１の発明によれば、制御手段は、光センサを用いて光源から出射される光の強さを測定し、測定した光の強さが基準値以下であるとき、報知手段を用いて装置内部に埃が溜まっていることをユーザに報知することができる。そのため、特許文献１の発明と異なり、光センサを２つ備えること無しに、装置内部に埃が溜まっているか否かを判断して、ユーザに報知することができるので、装置の製造コストを低減させることができる。
【００１０】
また、ユーザがノズルを伸長させ、装置外部に位置する一端に、例えば、埃を吸引することができる掃除機等のノズルを結合させて掃除機等を稼動させることにより、装置内部の埃を容易に取除くことができるので、装置内部の埃を取除くためのメンテナンスの手間を低減させることができる。
【００１１】
請求項２の発明によれば、制御手段は、光センサを用いて、光源から出射される光の強さを検出し、検出した光の強さが基準値以下であるとき、報知手段を用いて装置内部に埃が溜まっていることをユーザに報知することができる。そのため、特許文献１の発明と異なり、光センサを２つ備えること無しに、装置内部に埃が溜まっているか否かを判断して、ユーザに報知することができるので、装置の製造コストを低減させることができる。
【発明を実施するための最良の形態】
【００１２】
以下、本発明の一実施形態に係るプロジェクタについて、図１乃至図４を参照して説明する。図１及び図２はプロジェクタ１の外観を示し、図３及び図４はプロジェクタ１の内部構成を示す。図３はノズル１７が収縮している状態であり、図４はノズル１７が伸長している状態である。プロジェクタ１は、例えばパーソナルコンピュータやビデオカメラ等から入力された画像データを用いて画像を形成し、形成した画像を前方に設けられたスクリーン（図示せず）などに拡大して投影する装置である。
【００１３】
プロジェクタ１は、筐体１０と、パーソナルコンピュータやビデオカメラ等から出力された画像データが入力される信号入力部（信号入力手段）２３と、画像投影用の光を出射するランプ（光源）２５と、ランプ２５から出射された光を用いて、信号入力部２３から入力された画像データに基づく画像を形成する画像形成部（画像形成手段）２４と、画像形成部２４により形成された画像を拡大投射するためのレンズ２１とを備える。
【００１４】
また、プロジェクタ１は、ユーザによって操作され、装置に指示を行うための操作部（操作手段）２２と、ランプ２５等を冷却するためのファンユニット２６と、光の強さを測定可能なフォトダイオード（光センサ）２７と、ユーザに対して、各種警告を報知することができるＬＥＤ（報知手段）１６と、伸縮自在であるノズル１７と、装置各部を制御する制御部（制御手段）２９と、各種情報が記憶されたメモリ（記憶手段）２８とをさらに備える。
【００１５】
メモリ２８には、制御部２９を動作させるためのプログラムや、後述するランプ２５の光の強さの基準値等が記憶されている。制御部２９は、ＬＥＤ１６、操作部２２、信号入力部２３、画像形成部２４、ランプ２５、ファンユニット２６、フォトダイオード２７、及びメモリ２８を制御する。
【００１６】
ファンユニット２６は、第１のファン２６ａ、第２のファン２６ｂ、ファンを回転させるモータ（図示せず）、及びモータを駆動するモータドライバ（図示せず）等から構成される。制御部２９は、第１のファン２６ａ及び第２のファン２６ｂを回転させることにより、筐体１０内部に外気を流入させると共に筐体１０内部の空気を外部に排気し、ランプ２５等の過熱を防止する。
【００１７】
フォトダイオード２７は、ランプ２５から出射される光の強さを測定し、測定した光の強さを制御部２９に出力する。ＬＥＤ１６は、制御部２９により点灯制御され、ユーザに対して装置内部に埃が溜まっていること等の報知を行う。
【００１８】
レンズ２１は筐体１０の前方側に配置されている。ＬＥＤ１６及び操作部２２は筐体１０の上面に配置されている。筐体１０の側面側には、図１及び図２に示すように、筐体１０内部に外気を流入するための通気孔１１、１２と、筐体１０内部に流入された外気を排気するための通気孔１３、１４が形成されている。また、筐体１０の側面側には、ノズル１７を収納するための蓋１５が設けられ、信号入力部２３が配設されている。蓋１５は、図３の白色抜き矢印方向にスライド自在である。筐体１０内部には、操作部２２、信号入力部２３、画像形成部２４、ランプ２５、ファンユニット２６、フォトダイオード２７、メモリ２８、及び制御部２９が収納されている。
【００１９】
ノズル１７は収縮状態のとき、図３に示すように、蓋１５が閉じられ、筐体１０内部に収納されている。ユーザはノズル１７を伸長させる場合、図４に示すように、蓋１５を白抜き矢印方向にスライドさせた後、ノズル１７の一端１７ａを図４の黒矢印方向に引っ張り出す。このとき、ノズル１７は、一端１７ａが筐体１０外部に位置し、他端１７ｂが筐体１０内部に位置する。
【００２０】
ノズル１７を伸長させた状態のとき、ユーザは、一端１７ａに、例えば、埃を吸引することができる掃除機等のノズルを結合させて掃除機等を稼動させることにより、筐体１０内部の埃を容易に取除くことができる。そのため、筐体１０内部の埃を取除くためのメンテナンスの手間を低減させることができる。
【００２１】
次に、筐体１０内部の埃報知処理について、図５に示すフローチャートを参照して説明する。制御部２９は、フォトダイオード２７を用いてランプ２５から出射される光の強さを測定し（Ｓ１）、測定した光の強さが、メモリ２８に記憶されている光の強さの基準値以下か否かを判断する（Ｓ２）。この判断の結果、基準値以下の場合（Ｓ３でＹＥＳ）、制御部２９は、ＬＥＤ１６を点灯させ（Ｓ４）、筐体１０内部に埃が溜まっていることをユーザに報知すると共に、ランプ２５を消灯させて（Ｓ５）、プロジェクタ１を待機状態にする（Ｓ６）。一方、基準値以下ではない場合（Ｓ３でＮＯ）、制御部２９は、一定時間待機した後（Ｓ７）、上記Ｓ１以降の処理を繰り返す。なお、上記Ｓ２の判断の結果、基準値以下ではない場合、再度上記Ｓ１以降の処理を繰り返さずに、本処理を終了してもよい。また、本処理は、プロジェクタ１の起動時に行われるものであってもよい。
【００２２】
上記のように、本実施形態に係るプロジェクタ１によれば、制御部２９は、フォトダイオード２７を用いて、ランプ２５から出射される光の強さを測定し、測定した光の強さが基準値以下であるとき、ＬＥＤ１６を点灯させ、筐体１０内部に埃が溜まっていることをユーザに報知することができる。そのため、特許文献１の発明と異なり、フォトダイオード等の光センサを２つ備えなくても、筐体内部に埃が溜まっているか否かを判断することができるので、装置の製造コストを低減させることができる。
【００２３】
また、ユーザがノズル１７を伸長させ、筐体１０外部に位置する一端１７ａに、例えば、埃を吸引することができる掃除機等のノズルを結合させて掃除機等を稼動させることにより、筐体１０内部の埃を容易に取除くことができるので、筐体１０内部の埃を取除くためのメンテナンスの手間を低減させることができる。
【００２４】
なお、本発明は、上記の実施形態の構成に限定されるものではなく、発明の趣旨を変更しない範囲で種々の変形が可能である。例えば、上記の実施形態では、筐体１０内部に埃が溜まっているとき、制御部２９がＬＥＤ１６を点灯させる例を示したが、これに限られない。例えば、プロジェクタ１が、警告音発生部をさらに備え、筐体１０内部に埃が溜まっているとき、制御部２９が警告音発生部を制御することにより警告音を鳴らして、筐体１０内部に埃が溜まっていることをユーザに報知するものであってもよい。
【図面の簡単な説明】
【００２５】
【図１】本発明の一実施形態に係るプロジェクタの斜視図。
【図２】上記プロジェクタの斜視図。
【図３】上記プロジェクタの構成を示すブロック図。
【図４】上記プロジェクタの構成を示すブロック図。
【図５】上記プロジェクタの埃報知処理の手順を示すフローチャート。
【符号の説明】
【００２６】
１  プロジェクタ
１０  筐体
１６  ＬＥＤ（報知手段）
１７  ノズル
１７ａ  一端
１７ｂ  他端
２１  レンズ
２２  操作部（操作手段）
２３  信号入力部（信号入力手段）
２４  画像形成部（画像形成手段）
２５  ランプ（光源）
２６  ファンユニット（ファン）
２６ａ  第１のファン（ファン）
２６ｂ  第２のファン（ファン）
２７  フォトダイオード（光センサ）
２８  メモリ（記憶手段）
２９  制御部（制御手段）
【図１】
2008241923.tif 000003
【図２】
2008241923.tif 000004
【図３】
2008241923.tif 000005
【図４】
2008241923.tif 000006
【図５】
2008241923.tif 000007